(57)【要約】【課題】圧縮機室部前板の取り付けが容易な空気調和機の室外ユニットを提供する。【解決手段】圧縮機を内蔵した圧縮機室を有する外箱１ａは、天面に配された天板と、吹き出し口を設けた吹き出し口部前板５と、圧縮機室の前部を覆う圧縮機室部前板８と、側面部を覆う右側板から構成され、圧縮機室部前板８の両側端部に略Ｌ字状の係止爪１０を複数設け、吹き出し口部前板５及び右側板の端部に係止爪１０に係合する係合穴１１をそれぞれ複数設け、係止爪１０の端部にカール部１２を設けたもので、係止爪１０を係合穴１１に挿入した際にカール部１２を係合穴１１の両側部１１ａに係止させることで、容易に係止爪１０が係合穴１１から外れることはなく圧縮機室部前板８が仮固定され、外れ落ちることがなく一人で容易に取り付け作業ができる。【選択図】図２
2007155225.tif 000002
【特許請求の範囲】
【請求項１】
圧縮機を内蔵した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設け、前記係止爪の少なくとも１ヵ所の先端を前記係合穴の幅寸法より若干大きくなるようにカールさせて形成したことを特徴とする空気調和機の室外ユニット。
【請求項２】
係止爪の先端を係合穴の幅寸法より小さい寸法で折り返し、くの字状に係合穴の幅寸法より大きくなるよう徐々に隆起させて形成したことを特徴とする請求項１記載の空気調和機の室外ユニット。
【請求項３】
係合穴の両側部をハの字状に手前に向かって広がるように形成したことを特徴とする請求項１又は２記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは、室外ユニットの横連続設置に対応できるように、送風機の吹き出し口面側から作業ができるように、圧縮機室と圧縮機室の上部に設けられ制御基板を収納する電装部品室とを覆う圧縮機室部前板が設けられている。配管接続部も圧縮機室に収納されているので、設置時の配管接続作業、冷媒追加充填作業また設置状態に応じて室外ユニット制御基板に設けられた種々の設定スイッチの操作を行なうには、圧縮機室部前板を外して作業を行なうようになっており、そのため圧縮機室部前板は、数本のネジを緩めることで簡単に取り外せる構成となっている（例えば、特許文献１参照）。また、係合が容易な構成として、引掛け爪と引掛け穴の構成がある（例えば、特許文献２参照）。
【０００３】
以下に、従来の空気調和機の室外ユニットの外箱の構成を図７〜９を用いて説明する。図７において、室外ユニット９０の外箱９０ａは、ユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００４】
図８は、図７における圧縮機室部前板１０３の右側面側１０３ｂのＤ部と側板１０５ｂのＥ部を拡大した詳細図であり、（ａ）は要部水平断面図、（ｂ）は要部正面図である。図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。室外ユニット９０を横方向に連続設置する場合に、圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００５】
以上の構成により、圧縮機室部前板１０３は、圧縮機室部前板１０３の右側面側１０３ｂ、左側端部１０３ｃに設けられた複数個の係止爪１１０が係合穴１１１に水平方向に挿入された後、上方にスライドされ、さらに上端、下端をそれぞれ１本のネジ１０３ｄで締結することによって吹き出し口部前板１０２、側板１０５ａ、１０５ｂに固着できるため、多くのネジを使用する必要がなく、組立時の作業工数を低減できると共にネジ本数が少ないので見栄えもよい。
【０００６】
図９は、他の従来の空気調和機の室外ユニットを示すもので、図８に示された室外ユニットとほぼ同様な外箱構成となっているが、図９に示されるように、圧縮機室部前板の部分と右側の側板部分とが一体に形成され、しかも右側の側板は１枚で形成され合わせ目が省略されている（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【０００７】
しかしながら上記従来の空気調和機の室外ユニットの外箱構成では、製造現場における圧縮機室部前板１０３の組立作業時や、設置時に圧縮機室部前板１０３を開けての作業、例えば室外ユニット９０と室内ユニット（図示せず）をつなぐ際の冷媒配管接続、冷媒の追加充填や電線接続などの圧縮機室部前板１０３を取り外したり、再度室外ユニット９０に取り付ける際に以下のような課題があった。
【０００８】
圧縮機室部前板１０３を室外ユニット９０に取り付ける際は、側板１０５ａ、１０５ｂ及び吹出し口部前板１０２に設けた複数の係合穴１１１に圧縮機室部前板１０３の右側面側１０３ｂ及び左側端部１０３ｃに設けた複数の係止爪１１０を挿入した後、圧縮機室部前板１０３を上方にスライドさせ上端、下端をネジ１０３ｄで締結するが、圧縮機室部前板１０３は金属製でしかも大きな表面積を持ち、そのため重量も重くなることから自重により下方へ下がろうとする力が働くため、係止爪１１０が係合穴１１１より外れ圧縮機室部前板１０３が落下してしまう。
【０００９】
また、圧縮機室部前板１０３を取り外す際は、締結されたネジ１０３ｄを緩め取り外すがネジ１０３ｄを取り外した瞬間に圧縮機室部前板１０３は自重により下方に下がり、係止爪１１０が係合穴１１１より外れ圧縮機室部前板１０３が落下してしまう。
【００１０】
そのため、作業者は圧縮機室部前板１０３が外れ落ちないように圧縮機室部前板１０３を押さえていなければならず、取付け、取り外し作業が非常に困難であった。このため、製造現場や大規模設置工事など多人数で作業をしている場合には、一人が圧縮機室部前板１０３を押さえ、もう一人がネジを締結しなければならなかった。又、一人で設置作業する場合、あるいは、一人で作業を行なうことが多いサービス時などでは、圧縮機室部前板１０３の取り外し、および取り付けが極めて困難で、また多くの時間を費やし、さらに注意不足の場合には、係止爪１１０と係合穴１１１が外れてしまい、圧縮機室部前板１０３が室外ユニット９０より落下しキズ付きや変形の原因となっていた。
【００１１】
本発明は、上記従来の課題を解決するもので、安価な構成で、見栄えを悪くすることもなく、一人で確実に、しかも簡単に圧縮機室部前板の取り付けができる空気調和機の室外ユニットを提供することを目的とするものである。
【課題を解決するための手段】
【００１２】
上記従来の課題を解決するために、本発明の空気調和機の室外ユニットは、圧縮機を内蔵した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設け、前記係止爪の少なくとも１ヵ所の先端を前記係合穴の幅寸法より若干大きくなるようにカールさせて形成したもので、前記圧縮機室部前板を前記吹出し口部前板及び前記側板に取り付ける際、前記圧縮機室部前板の両側端部に設けた係止爪を前記吹出し口部前板及び前記側板の端部に設けた係合穴に挿入すると、前記係合穴の幅寸法より大きく形成した前記係止爪のカール部分が前記係合穴の両側部に係止して保持されるため、係止爪が係合穴より外れることがなく一人で確実に、しかも容易に前記圧縮機室部前板を取り付けることができる。
【発明の効果】
【００１３】
本発明の空気調和機の室外ユニットは、安価な構成で、見栄えを悪くすることもなく、一人で確実に、しかも簡単に圧縮機室部前板の取り付けができるので、作業効率が非常に良いものである。
【発明を実施するための最良の形態】
【００１４】
第１の発明は、圧縮機を内蔵した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設け、前記係止爪の少なくとも１ヵ所の先端を前記係合穴の幅寸法より若干大きくなるようにカールさせて形成したもので、前記圧縮機室部前板を前記吹出し口部前板及び前記側板に取り付ける際、前記圧縮機室部前板の両側端部に設けた係止爪を前記吹出し口部前板及び前記側板の端部に設けた係合穴に挿入すると、前記係合穴の幅寸法より大きく形成した前記係止爪のカール部分が前記係合穴の両側部に係止して保持されるため、係止爪が係合穴より外れることがなく一人で確実に、しかも容易に前記圧縮機室部前板を取り付けることができる。
【００１５】
第２の発明は、特に第１の発明の係止爪の先端を係合穴の幅寸法より小さい寸法で折り返し、くの字状に係合穴の幅寸法より大きくなるよう徐々に隆起させて形成したもので、前記係止爪を前記係合穴に挿入する際に、係止爪の先端部が係合穴の幅寸法より小さいため挿入しやすくなるとともに、係止爪を係合穴へ押し込む際の位置決めとなることから、暗所での作業の際も容易に前記圧縮機室部前板を取り付けることができる。
【００１６】
第３の発明は、特に第１又は第２の発明の吹き出し口前板および側板の端部に設けた係合穴の両側部をハの字状に手前に向かって広がるように形成したもので、係止爪を係合穴に挿入する際に、前記係止爪の先端が前記係合穴の両側部の傾斜に沿って案内され所定の位置に収まることから、前記圧縮機室部前板の取り付け作業性が向上する。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室外ユニットの外箱構成を示す分解斜視図で、図２は、同室外ユニットの圧縮機室部前板の取り付け部の構成を示す要部斜視図、図３は、同取り付け部の要部断面図である。
【００１９】
図１、図２、図３において、室外ユニット１の外箱１ａは、底部を形成するユニットベース２、天面部を覆う天板３、前面部を覆うとともに内蔵された送風機（図示せず）による風を吹き出す吹き出し口４を有する吹き出し口部前板５、圧縮機（図示せず）を内蔵する圧縮機室６と制御基板（図示せず）を収納する電装部品室７とを覆う圧縮機室部前板８、右側面を覆う右側板９とから構成されている。
【００２０】
圧縮機室部前板８は、前面に位置する前面部８ａと、右側部８ｂとで断面略Ｌ字状に形成されている。圧縮機室部前板８の左端部８ｃと右側部８ｂの端部のそれぞれに、後方に突出した略Ｌ字状の係止爪１０が複数個設けられ、吹き出し口部前板５および右側板９のそれぞれの鉛直端部の係止爪１０に対応する位置に角形状の係合穴１１が設けられている。係止爪１０には、端部に係合穴１１の幅寸法より大きくなるように半円状に手前に折り返して形成したカール部１２が設けられている。
【００２１】
圧縮機室部前板８の室外ユニット１への取り付けは、圧縮機室部前板８の係止爪１０を
吹き出し口部前板５と右側板９の係合穴１１に挿入する。この時、係止爪１０に形成したカール部１２は、係合穴１１の幅寸法より大きいため一旦係合穴１１の入り口部にて両側部１１ａと干渉することになるが、カール部１２の弾性作用により両側部１１ａを乗り越え所定の位置に収まることになる。その後圧縮機室部前板８を上方にスライドさせ、ネジ１３で圧縮機室部前板８の上端、下端を天板３及び、ユニットベース２にそれぞれ締結するが、例えばネジ１３及びドライバー等の工具を作業者が手に持つ際に、圧縮機室部前板８から手を離しても係止爪１０に形成したカール部１２が係合穴１１の両側部１１ａに係止され係止爪１０が係合穴１１より容易に外れることはなく、圧縮機室部前板８が落下することはない。
【００２２】
以上のように、本実施の形態によれば、一人でも簡単に、しかも確実に圧縮機室部前板８を取り付けることができるものである。
【００２３】
（実施の形態２）
図４は、本発明の第２の実施の形態における空気調和機の室外ユニットの圧縮機室部前板の取り付け部の構成を示す要部斜視図で、図５は、同取り付け部の要部断面図である。なお、上記実施の形態と同一部分については同一符号を付してその説明を省略する。
【００２４】
本実施の形態は、係止爪１０の先端を係合穴１１の幅寸法より小さい寸法で折り返し、くの字状に係合穴１１の幅寸法より大きくなるよう徐々に隆起させて係止部１３を形成している。この形状により、係止爪１０を係合穴１１に挿入する際に、係止爪１０の先端部が係合穴１１の幅寸法より小さいため挿入しやすくなるとともに、係止爪１０を係合穴１１に押し込む際の位置決めとなることから暗所での作業の際も容易に圧縮機室部前板８を取り付けることができる。
【００２５】
（実施の形態３）
図６（ａ），（ｂ）は、いずれも本発明の第３の実施の形態における空気調和機の室外ユニットの要部断面図である。なお、上記実施の形態と同一部分については同一符号を付してその説明を省略する。
【００２６】
本実施の形態は、図６（ａ）において、係合穴１１の両側部１１ａをハの字状に手前に向かって広がるように切断形成している。また、図６（ｂ）において、係合穴１１の両側部１１ｂをハの字状に手前に向かって広がるように開口形成している。これらの構成により、係止爪１０を係合穴１１に挿入する際に、係止爪１０の先端が係合穴１１の両側部１１ａ，１１ｂの傾斜に沿って案内され所定の位置に収まることから、圧縮機室部前板８の取り付け作業性が向上する。
【産業上の利用可能性】
【００２７】
以上のように、本発明に係る空気調和機の室外ユニットは、安価な構成で、見栄えを悪くすることもなく、一人で確実に、しかも簡単に圧縮機室部前板の取り付けができるので、作業効率が非常に良く、設置時、サービス時に着脱を要する板金製の扉、蓋などを有する各種機器、装置にも適用できるものである。
【図面の簡単な説明】
【００２８】
【図１】本発明の実施の形態１における空気調和機の室外ユニットの展開斜視図
【図２】同室外ユニットの要部斜視図
【図３】同室外ユニットの要部断面図
【図４】本発明の実施の形態２における空気調和機の室外ユニットの要部斜視図
【図５】同室外ユニットの要部断面図
【図６】（ａ），（ｂ）本発明の実施の形態３における空気調和機の室外ユニットの要部断面図
【図７】従来の空気調和機の室外ユニットの展開斜視図
【図８】（ａ）図７のＤ，Ｅ部の横断面図、（ｂ）同Ｄ，Ｅ部の正面図
【図９】従来の他の例を示す空気調和機の室外ユニットの斜視図
【符号の説明】
【００２９】
１  室外ユニット
１ａ  外箱
３  天板
４  吹き出し口
５  吹き出し口部前板
６  圧縮機室
８  圧縮機室部前板
９  側板
１０  係止爪
１１  係合穴
１１ａ  両側部
１２  カール部
１３  係止部
【図１】
2007155225.tif 000003
【図２】
2007155225.tif 000004
【図３】
2007155225.tif 000005
【図４】
2007155225.tif 000006
【図５】
2007155225.tif 000007
【図６】
2007155225.tif 000008
【図７】
2007155225.tif 000009
【図８】
2007155225.tif 000010
【図９】
2007155225.tif 000011